(57)【要約】      （修正有）【課題】簡単に組み立てられる折りたたみ式で、面倒なロール交換が簡単にできるよう誰もが使い慣れた「跳ね上げ式芯棒」の機能を素材の折り方を工夫して作り出しているロール紙専用のホルダーケースを提供する。【解決手段】ロール紙専用のホルダーケースであって、ロール紙を支える跳ね上げ式芯棒５を備え、跳ね上げ式芯棒５は、ロール紙を交換する際に、ロール紙を押し上げることにより跳ね上げられる左右２本の芯棒により構成されるものであり、跳ね上げ式芯棒５は、厚紙又は平板状の樹脂の一枚素材を折り目に沿って折ることにより形成される折りたたみ式である。【選択図】図１
0003219426.tif 000002
【実用新案登録請求の範囲】
【請求項１】
簡単に組み立てられる折りたたみ式で、面倒なロール交換が簡単にできるよう誰もが使い慣れた「跳ね上げ式芯棒」の機能を素材の折り方を工夫して作り出していることを特徴とする、ロール紙専用のホルダーケースの形状についての考案である。
【請求項２】
正面と底面の二ケ所の取出し口により、同じ形状のままで掛けても置いても利用することができ、利用場所を選ばず、多様な場面で利用でき、紙先のもぐり込みや引き出し過ぎを防ぐ紙押さえの機能を備えていることを特徴とする、ロール紙専用のホルダーケースの形状についての考案である。
【考案の詳細な説明】
【技術分野】
【０００１】
この考案は、必要な分だけ引き出せる経済的なトイレットペーパーを、キッチンやリビング、洗面や子供部屋などの多様な場所で美しく機能的に利用しやすくするために、二つの特徴的な機能を備えたトイレットペパー用のケースの形状に関する考案である。一つ目は一枚素材の折り方を工夫する事によりロールを支える芯棒部分に一般的に普及している左右に開く「跳ね上げ式芯棒」の機能が作り出されていることである。二つ目は同じ形状のままで利用場所に合わせて2ケ所の取出し口を選択することができる掛け置き両用タイプの機能である。さらに軽量素材で折りたたんで出荷することができ、陳列及び保管スペースや流通コスト等の軽減が期待できる。
【背景技術】
【０００２】
トイレでの利用を目的としたトイレ専用のホルダーは、ロールのペーパーを衛生的に引き出すことができ、ペーパーの交換も容易に出来るように工夫されているが、トイレのイメージが強く壁にしっかり固定するものが多いので、リビングやキッチンには設置しづらい。現状としてリビング等ではティッシュペーパー、キッチンではキッチンペーパーが主流となっているが、ちょっとした汚れを拭き取りたい時には無駄が多く、大量に使いたい時には不経済である。日常生活において、洗面、化粧台、キッチンなどの水回り、ガス回りの油汚れ、赤ちゃんのオムツ交換や、高齢者の介護、ペットの排泄処理等、紙の需要は多く、本考案と同じ目的で、比較的安価で必要な分量を引き出せるトイレットペーパーを多様な場面で利用するためのケースやホルダー、布製の袋などが多様に展開されているが、ティッシュペーパーのように身近に一つ置かれているほどの展開には至っていないのが現状である。トイレのイメージの強いロールを隠す必要性から大きな形状になるため、耐久性のある樹脂製、木製等は、エコ目的という目的にそぐわない高価なものになりがちで、長期に利用しなければ経済的効果が期待できない上、ロールの巻き戻りや引き込みが生じやすい、またはロールの交換に手間がかかるものが多く、長期利用につながっていない。布製のものはロールの芯を取り除き中心部から紙を引き出す形状が多くセットに手間がかかる等の利便性の問題により、長期利用につながらない商品が多いのが現状である。
【先行技術文献】
【特許文献】
【０００３】
【特許文献１】特開平11-225908公報
【特許文献２】特開2002-347779公報
【特許文献３】特開２０１２-１４７８８８公報
【非特許文献】
【０００４】
【非特許文献１】トイレットペーパーのケースやホルダーは、置き型のBOXやケース、壁掛けのホルダー、布製の吊り下げタイプなど多様に商品化されている。
【考案の概要】
【考案が解決しようとする課題】
【０００５】
特許文献1-特開平11-225908公報。文献１の技術はトイレットペーパーを多様な場面で利用でき、機能、美観ともに優れ、折りたたみ式で流通、保管等のコスト面も考慮されており、本考案と非常に近い提案であるが、傾斜上げ底という仕組みで、常に前方にロールが保たれるよう工夫されているが、傾斜面と正面内側面にロールがはさまれる状態にあり心棒がないことにより２面による摩擦が生じ、使い始めの重量のあるロールや、シングル巻の切れやすいロール等、紙の種類や重量によりちぎれや巻き戻りが生じやすく、軽やかな引き出しが期待できない。
【０００６】
特許文献2-特開2012-147888公報。文献2の技術は折りたたみ式につき流通、保管等のコスト面の考慮について、本考案と近い提案であるが、文献2は三角の箱の中に直接ロールを直置きし、上部より引き出す仕組みにより、文献1と同じく摩擦抵抗やちぎれ、巻き戻りによる引き込みが生じやすいという課題がある。また上部に刃部が設けられ、ペーパーが切り取りやすく工夫されているが、刃部が上向きであることと、形状が鋭角であることにより、衣類などの引っかかりや、床に置いた時の転倒や接触等を考えると、安全性に課題がある。
【０００７】
特許文献3-特開2002-347779公報。文献3の技術は、文献1、2と同じく箱の中にロールを直置きする仕組みではあるが、巻き戻りによる引き込み防止と、綺麗にペーパーを切るための工夫がされており、文献1,2より美観が保ちやすく、掛け置き両タイプが考案されており狭いスペースでは壁掛けタイプ、卓上等では置き型タイプを選べるが、1つの商品で掛け置き両用ではないため、各々の製作が必要となることと、折りたたみ不可のケース状であることから、流通、保管にかかるコストが商品価格に反映してしまうという課題がある。
【課題を解決するための手段】
【０００８】
文献1,2,3のケースにロールを直置きする芯棒なしのタイプは、摩擦抵抗によるもぐりこみが生じやすいという課題を解決するためには、ロール紙の特徴である回転を支える芯棒が必要であると考え、本考案は芯棒で支える仕組みについて工夫したものである。芯棒についてはロール紙の中心部の紙芯部分に棒状の芯棒を通して支えるタイプと、芯棒が左右に跳ね上がるタイプの芯棒によって支えるタイプがある。日常トイレで利用しているホルダーは、壁掛け型で芯棒によってロールを支える壁掛けタイプが大半でる。芯棒については2つのタイプがあり、ロール紙の中心部に棒状の芯棒を通して支えるタイプと、左右に跳ね上がり中心にロールを押し上げるだけで交換ができる左右２本の芯棒によって支えるタイプがある。古くから使われていた棒状の芯棒で支えるタイプに代わり、最近では交換時の手間がより省略された左右に跳ね上がる仕組みの「跳ね上げ式芯棒」が主流になっている。
【０００９】
本考案は2つの特徴により、従来の技術の課題を解決したものである。一つ目の特徴はトイレで誰もが使い慣れた「跳ね上げ式芯棒」の機能を一枚素材のみで折り方を工夫して作り出し、棒やネジ類の付属品無しで芯棒を形成し、課題となっていたペーパーの滑らかな繰り出しと、ロール交換の煩わしさの軽減が考慮されており、課題を解決している。二つ目の特徴としては、取出し口を2ケ所設けることにより、同じ形状のままで壁掛け用、卓上用等、利用場所に合わせて取出し口を選ぶだけで「跳ね上げ式芯棒」の機能もそのまま使うことができるため、課題となっていた掛け置き各々の生産は不要になる。壁掛け型として利用する時は、裏面の穴によってフックなどで壁に掛け底面からスムーズにペーパーを引き出すことができ、卓上等置き型として利用する時は、蓋部分に設けられた取出し口にペーパーを通すことで、正面取出し口からペーパーを引き出すことができ、同じ形状のまま多様な場面に対応することができ課題を解決している。
【考案の効果】
【００１０】
本考案の1枚素材での折りたたみ式で「跳ね上げ式芯棒」の機能を作り出し、利用場所に合わせて取出し口を選べる形状の商品は提案されていない。この二つの特徴により、従来の文献のロールをケースに直置きするタイプで課題となっている摩擦による抵抗、ペーパーのちぎれ、もぐり込みが大きく軽減され、軽量素材による生産流通の低コスト効果を有しながら、なおかつスムーズなペーパーの繰り出しと、ロール交換の煩わしさの軽減を実現し、2つの取出し口により、同じ形状のままで掛け置き両用の機能を有し、ニーズに合わせた多様な場面に対応することができ、日常生活に広く展開することが期待できる。また「跳ね上げ式芯棒」の機能と、ペーパーの引き出し過ぎや、風によるペーパーの流れ出しの軽減のために設けた裏面の紙押さえ機能は、形状をワイドにし同じくロール紙のキッチンペーパーにも利用することができ利便性を広く展開することができる。
【図面の簡単な説明】
【００１１】
【図１】本考案のすべての要素を透視図にした基本の全体図である。
【図２】掛け型として利用する時に底面取出し口からペーパーを引き出した状態を示した図である。
【図３】置き型として利用する時に正面取出し口からペーパーを引き出した状態を示した図である。
【図４】ロール装着、交換時の跳ね上げ式芯棒部分の仕組みを示した図である。
【考案を実施するための形態】
【００１２】
経済的で必要な分だけ引き出せるトイレットペーパーをリビングやキッチン、子供部屋などの多様な場所で違和感なく利用するためには、ロール本体を隠す必要があるため、比較的大きな形状になり製作、流通においてのコストが商品価格に反映され、エコ目的の商品であるにもかかわらず高価になりがちである。また交換がしづらい、ペーパーがもぐり込みやすい等の使いづらさから長期利用が期待できない。こうした従来の文献や、既存の商品の現状に対し、本考案は1枚素材の組み立て式でありながら、「跳ね上げ式芯棒」の機能を備えたことにより、芯棒を通す、または紙芯を取り除きロールの中心部から紙を引き出す等のロール交換時のストレスを軽減し、さらに、取出し口を２ヶ所設けることにより同じ形状のまま掛け置き両用に対応でき多様なシーンでの展開と、長期利用が期待でき、軽量低コストでの商品化を可能にしている。
【実施例】
【００１３】
洗面、化粧台の水跳ねやリップ押さえ等のちょっとした汚れや拭き取り、キッチン周りの油汚れや、食洗前の食器や鍋の拭き取り、赤ちゃんや高齢者のオムツ交換や、ペットの排泄処理等、日常でティッシュペーパーを利用する場面は多様だが、ティッシュペーパーは数枚単位で使い捨ての化粧箱に入っており、上質の定番サイズの紙が2枚セットのため、ちょっとした汚れを拭き取りたい時にはもったいない気持ちになり、大量に使用する時にも無駄が多く罪悪感を感じる人が多い。本考案はティッシュペーパーに比べ必要な分だけ引き出せて比較的安価で経済的ななトイレットペーパーをトイレ専用のイメージから脱却し、多様な日常のシーンに展開できるように、工夫されており、使い慣れた「跳ね上げ式芯棒」の機能と、二ケ所の取出し口による掛け置き両用の機能により、ロール交換のストレスを軽減し、場所を選ばず多様なシーンでの展開が可能である。
【産業上の利用可能性】
【００１４】
本考案は恒久的に使える素材ではないが、数年は使える耐久性のある厚紙または平板状の樹脂などの素材で形成され、折り目に沿って折るだけで、「跳ね上げ式芯棒」機能つき、掛け置き両用に対応可能なトイレットぺーパー専用のホルダーケースが完成するという提案である。既存の商品より材料製作費、流通コストの軽減が期待でき、平板状の素材に多様なデザイン展開が広がり、ニーズに合わせた商品作りが期待できる。本考案の特徴である跳ね上がり式芯棒の機能により交換ストレスの軽減をはかり、２つの取出し口による掛け置き両用機能により多様なニーズに対応でき、長期利用の妨げとなっていた使いづらさを改善することができ、繰り返し何度も使えて、美しく使いやすい商品をエコ目的に見合った価格で提供することができる。また「跳ね上げ式芯棒」の機能と、ペーパーの引き出し過ぎや、風によるペーパーの流れ出しの軽減のために設けた裏面の紙押さえ機能は、形状をワイドにし同じくロール紙のキッチンペーパーにも利用することができその利便性を広く展開することができる。
【符号の説明】
【００１５】
（1）蓋部取出し口
（2）正面紙押さえ
（3）置き型利用時の正面取出し口
（4）掛け型利用時の底面取出し口
（5）跳ね上げ式芯棒
（6）巻き戻り防止用紙押さえ
（7）掛け型利用時裏面フック穴
【図１】
0003219426.tif 000003
【図２】
0003219426.tif 000004
【図３】
0003219426.tif 000005
【図４】
0003219426.tif 000006
【手続補正書】
【提出日】平成30年10月17日(2018.10.17)
【手続補正１】
【補正対象書類名】実用新案登録請求の範囲
【補正対象項目名】全文
【補正方法】変更
【補正の内容】
【実用新案登録請求の範囲】
【請求項１】
ロール紙専用のホルダーケースであって、ロール紙を支える跳ね上げ式芯棒を備えており、ロール紙を交換をする際に、ロール紙を押し上げることにより跳ね上げられる左右２本の芯棒で構成される前記跳ね上げ式芯棒部分の形状を含むホルダーケース本体は、厚紙又は平板状の樹脂の一枚素材を折り目に沿って折ることにより形成される折りたたみ式であることを特徴とするロール紙専用のホルダーケース。
【請求項２】
前記ホルダーケースは、正面と底面の二ヶ所の取出し口を備え、前記ホルダーケースは、裏面に、紙先のもぐり込みや引き出し過ぎを防ぐ紙押さえ部を備えることを特徴とする請求項1記載のロール紙専用のホルダーケース。